(57)【要約】【課題】非接触ＩＣカード等の非接触データ記録媒体の位置検知を行うためのセンサを使用することなく、非接触ＩＣカード等の非接触データ記録媒体が正規の位置に置かれているか否かを確認することができる現金取引装置を提供する。【解決手段】装置本体１の上面２もしくは前面３に設けられ底面が非接触データ記録媒体３０を載置する載置台となっている凹部２１と、該凹部２１を開閉するシャッター２２とからなり現金取引時に非接触データ記録媒体３０を出し入れするための非接触データ記録媒体載置部２０と、非接触データ記録媒体３０からのデータの読み出し及び非接触データ記録媒体３０へのデータの書き込みを行うリーダ／ライタ２６と、リーダ／ライタ２６を介して非接触データ記録媒体３０と通信を行い、操作部の出力に基づいて各種処理および、シャッター２２の開閉制御を行う制御部２８とを有している。【選択図】図１
2007249259.tif 000002
【特許請求の範囲】
【請求項１】
装置本体の上面に設けられ現金取引に関する情報を表示する案内表示部と、前記装置本体の上面に設けられた操作部と、前記装置本体の上面に設けられた入金口と、前記装置本体の上面もしくは前面に設けられた出金口とを備えた現金取引装置であって、
前記装置本体の上面もしくは前面に設けられ底面が非接触データ記録媒体を載置する載置台となっている凹部と、該凹部を開閉するシャッターとからなる非接触データ記録媒体載置部と、
前記非接触データ記録媒体からのデータの読み出し及び前記非接触データ記録媒体へのデータの書き込みを行うリーダ／ライタと、
前記リーダ／ライタを介して前記非接触データ記録媒体と通信を行い、前記操作部の出力に基づいて各種処理および、前記シャッターの開閉制御を行う制御手段と、
を有することを特徴とする現金取引装置。
【請求項２】
前記非接触データ記録媒体載置部は、前記凹部が前記装置本体の上面に形成されており、前記シャッターが前記装置本体の上面に沿って開閉可能に設けられていることを特徴とする請求項１に記載の現金取引装置。
【請求項３】
前記非接触データ記録媒体載置部は、前記凹部が前記装置本体の前面に形成されており、前記シャッターが前記装置本体の前面に沿って開閉可能に設けられていることを特徴とする請求項１に記載の現金取引装置。
【請求項４】
前記非接触データ記録媒体載置部は、前記凹部が前記装置本体の前面隅部に形成されており、前記シャッターが前記装置本体の前面隅部に沿って開閉可能に設けられていることを特徴とする請求項１に記載の現金取引装置。
【請求項５】
前記凹部の載置台には非接触データ記録媒体が載置されるべき位置を示す指示部が設けられていることを特徴とする請求項１乃至４のいずれかに記載の現金取引装置。
【請求項６】
前記シャッターは、透明板により形成されていることを特徴とする請求項１乃至５のいずれかに記載の現金取引装置。
【請求項７】
前記制御手段は、前記非接触データ記録媒体と前記リーダ／ライタとの間でアクセスが行われている間は、前記シャッターを閉じるように制御することを特徴とする請求項１乃至６のいずれかに記載の現金取引装置。
【請求項８】
前記制御手段は、前記非接触データ記録媒体が前記凹部の定められた位置に置かれているか否かを前記非接触データ記録媒体と現金取引装置側との通信が確立したか否かにより判定することを特徴とする請求項１乃至７のいずれかに記載の現金取引装置。
【請求項９】
前記制御手段は、前記凹部の定められた位置に置かれた前記非接触データ記録媒体が正常な記録媒体であるか否かを前記非接触データ記録媒体と現金取引装置側との通信が確立したか否かにより判定することを特徴とする請求項１乃至８のいずれかに記載の現金取引装置。
【発明の詳細な説明】
【技術分野】
【０００１】
本発明は、非接触ＩＣカード等の非接触データ記録媒体を使用して取引を行う入金機等の現金取引装置に関する。
【背景技術】
【０００２】
非接触ＩＣカードとアクセスする現金取引装置は、アクセス中に非接触ＩＣカードが触れられると、現金取引装置と非接触ＩＣカードとのアクセスができないことがある。そのために、非接触ＩＣカードが現金取引装置のカード挿入口に挿入されると、非接触ＩＣカードを現金取引装置内に取り込み、非接触ＩＣカードに対するアクセスが完了してから非接触ＩＣカードを現金取引装置外に排出するように構成されている。
【０００３】
また、非接触ＩＣカードを現金取引装置のカード挿入口でなく、現金取引装置の載置台の上に置いた状態で非接触ＩＣカードと現金取引装置との間でアクセスを行うように構成された従来の現金取引装置では、非接触ＩＣカードと現金取引装置との間でアクセスが行われている間は、非接触ＩＣカードが収納される載置台が設けられた非接触ＩＣカード載置部のシャッターが閉じ、外部から非接触ＩＣカードに触れることができないようになっている（例えば、特許文献１参照）。
【特許文献１】特開２００１−３０７１８３号公報
【発明の開示】
【発明が解決しようとする課題】
【０００４】
近年、非接触ＩＣカードの機能を備えた携帯電話機が存在するが、このような携帯電話機をも現金取引装置で使用することができるようにするためには、特許文献１に記載の現金取引装置（商品販売装置）のように、非接触ＩＣカードを載置台の上に置くように構成しなければならない。
しかしながら、非接触ＩＣカードを載置台の上に置くタイプの現金取引装置では、非接触ＩＣカードと載置台の下部に設けられたリーダ／ライタのアンテナとの位置関係が問題となる。
【０００５】
非接触ＩＣカードとリーダ／ライタのアンテナとの位置関係が悪いと、アクセスできないことがある。上記特許文献１に記載の現金取引装置では、非接触ＩＣカードがリーダ／ライタの真上に存在するか否かを光センサにより検知するように構成されている。
【０００６】
本発明は、このような事情に鑑みてなされたもので、非接触ＩＣカード等の非接触データ記録媒体の位置検知を行うためのセンサを使用することなく、非接触ＩＣカード等の非接触データ記録媒体が正規の位置に置かれているか否かを確認することができる現金取引装置を提供することを目的とする。
【課題を解決するための手段】
【０００７】
上記目的を達成するために、本発明の現金取引装置は、装置本体の上面に設けられ現金取引に関する情報を表示する案内表示部と、前記装置本体の上面に設けられた操作部と、前記装置本体の上面に設けられた入金口と、前記装置本体の前面に設けられた出金口とを備えた現金取引装置であって、前記装置本体の上面もしくは前面に設けられ底面が非接触データ記録媒体を載置する載置台となっている凹部と、該凹部を開閉するシャッターとからなる非接触データ記録媒体載置部と、前記非接触データ記録媒体からのデータの読み出し及び前記非接触データ記録媒体へのデータの書き込みを行うリーダ／ライタと、前記リーダ／ライタを介して前記非接触データ記録媒体と通信を行い、前記操作部の出力に基づいて各種処理および、前記シャッターの開閉制御を行う制御手段とを有することを特徴とする。
上記構成からなる本発明の現金取引装置では、非接触データ記録媒体を載置する載置台となっている凹部の所定位置に非接触データ記録媒体が置かれたか否かが、制御手段と非接触データ記録媒体との間で通信が確立したか否かにより確認できるので、従来装置で必要であった非接触データ記録媒体の位置検知を行うセンサが不要となるという効果が得られる。
【０００８】
また、本発明の現金取引装置は、前記非接触データ記録媒体載置部は、前記凹部が前記装置本体の上面に形成されており、前記シャッターが前記装置本体の上面に沿って開閉可能に設けられていることを特徴とする。
上記構成からなる本発明の現金取引装置では、前記非接触データ記録媒体載置部の凹部が前記装置本体の上面に形成されており、前記シャッターが前記装置本体の上面に沿って開閉可能に設けられている。したがって、非接触データ記録媒体を前記凹部の底面である接触データ記録媒体の載置台に置くべき位置を確認し易いという、効果が得られる。
【０００９】
また、本発明の現金取引装置は、前記非接触データ記録媒体載置部は、前記凹部が前記装置本体の前面に形成されており、前記シャッターが前記装置本体の前面に沿って開閉可能に設けられていることを特徴とする。
上記構成からなる本発明の現金取引装置では、前記非接触データ記録媒体載置部の凹部が前記装置本体の前面に形成されており、前記シャッターが前記装置本体の前面に沿って開閉可能に設けられている。したがって、非接触データ記録媒体を装置本体の前面から凹部の後方に挿入することにより、凹部の底面である接触データ記録媒体の載置台に置くことができ、操作感が良い、という効果が得られる。
【００１０】
また、本発明の現金取引装置は、前記非接触データ記録媒体載置部は、前記凹部が前記装置本体の前面隅部に形成されており、前記シャッターが前記装置本体の前面隅部に沿って開閉可能に設けられていることを特徴とする。
上記構成からなる本発明の現金取引装置では、前記非接触データ記録媒体載置部の凹部が前記装置本体の前面隅部に形成されており、前記シャッターが前記装置本体の前面隅部に沿って開閉可能に設けられている。したがって、上面と前面の２面が開閉することになるので、凹部の底面である非接触データ記録媒体の載置台への収納、載置台からの非接触データ記録媒体の取り出しが容易であり、かつ非接触データ記録媒体が載置台に置かれている状態が確認し易い、という効果が得られる。
【００１１】
また、本発明の現金取引装置は、前記凹部の載置台には非接触データ記録媒体が載置されるべき位置を示す指示部が設けられていることを特徴とする。
上記構成からなる本発明の現金取引装置では、前記凹部には非接触データ記録媒体が載置されるべき位置を示す指示部が設けられている。したがって、現金取引装置のユーザは、非接触データ記録媒体を載置台上の載置されるべき位置に確実に置くことができる。
【００１２】
また、本発明の現金取引装置は、前記シャッターは、透明板により形成されていることを特徴とする。
上記構成からなる本発明の現金取引装置では、前記シャッターは、透明板により形成されている。したがって、シャッターが閉じられた状態でも非接触データ記録媒体載置部の凹部内における非接触データ記録媒体の有無を視認することができる。
【００１３】
また、本発明の現金取引装置は、前記制御手段は、前記非接触データ記録媒体と前記リーダ／ライタとの間でアクセスが行われている間は、前記シャッターを閉じるように制御することを特徴とする。
上記構成からなる本発明の現金取引装置では、前記非接触データ記録媒体と前記リーダ／ライタとの間でアクセスが行われている間は、前記制御手段により前記シャッターは閉じるように制御される。したがって、外部から非接触データ記録媒体載置部の凹部内における非接触データ記録媒体に触れることができないため、該非接触データ記録媒体は、凹部内における所定位置に保持されるので、非接触データ記録媒体からのデータの読み出し及び、非接触データ記録媒体へのデータの書き込みを確実に行うことができる。
【００１４】
また、本発明の現金取引装置は、前記制御手段は、前記非接触データ記録媒体が前記凹部の定められた位置に置かれているか否かを前記非接触データ記録媒体と現金取引装置側との通信が確立したか否かにより判定することを特徴とする。
上記構成からなる本発明の現金取引装置では、前記制御手段は、前記非接触データ記録媒体が前記凹部の定められた位置に置かれているか否かを前記非接触データ記録媒体と現金取引装置側との通信が確立したか否かにより判定する。したがって、非接触データ記録媒体が前記凹部の定められた位置に置かれているか否かを非接触データ記録媒体と現金取引装置側との通信が確立したか否かにより確認することができるので、非接触データ記録媒体の位置検知を行うセンサが不要となる、という効果が得られる。
【００１５】
また、本発明の現金取引装置では、前記制御手段は、前記非接触データ記録媒体と現金取引装置側との通信が確立したか否かにより判定することを特徴とする。
上記構成からなる本発明の現金取引装置では、前記制御手段は、前記非接触データ記録媒体が正常な記録媒体であるか否かを前記非接触データ記録媒体と現金取引装置側との通信が確立したか否かにより判定する。したがって、前記凹部の定められた位置に置かれた前記非接触データ記録媒体が正常な記録媒体であるか否かを他の手段を用いることなく、認識することができる、という効果が得られる。
【発明の効果】
【００１６】
以上説明したように、本発明によれば、非接触データ記録媒体を載置する載置台となっている凹部の所定位置に非接触データ記録媒体が置かれたか否かが、制御手段と非接触データ記録媒体との間で通信が確立したか否かにより確認できるので、従来装置で必要であった非接触データ記録媒体の位置検知を行うセンサが不要となるという効果が得られる。
という効果が得られる。
【発明を実施するための最良の形態】
【００１７】
以下、本発明の実施形態を、図面を参照して詳細に説明する。本発明の第１実施形態に係る現金取引装置の構成を図１に示す。図１（ａ）は本発明の第１実施形態に係る現金取引装置の全体構成を、図１（ｂ）は図１（ａ）における非接触データ記録媒体載置部の断面の構成を、それぞれ示している。
【００１８】
図１において、本発明の第１実施形態に係る現金取引装置は、装置本体１の上面２に設けられ現金取引に関するデータを表示する表示部及び操作部１０と、現金取引に関する情報を表示する案内表示部１１と、装置本体１の上面２に設けられた紙幣入金口１２と、装置本体１の前面３に設けられた紙幣出金口１３と、装置本体１の前面３に設けられた硬貨出金口１６とを有している。表示部及び操作部１０は、例えば、タッチパネルであり、表示部と操作部とを兼ねている。表示部及び操作部１０は本発明の表示部であり、操作部である。紙幣入金口１２及び硬貨入金口１４は、本発明の入金口に相当し、紙幣出金口１２及び硬貨出金口１６は、本発明の出金口に相当する。
【００１９】
さらに、本発明の第１実施形態に係る現金取引装置は、装置本体１の上面２もしくは前面３に設けられ底面が非接触データ記録媒体３０を載置する載置台となっている凹部２１と、該凹部２１を開閉するシャッター２２とからなり現金取引時に非接触データ記録媒体３０を出し入れするための非接触データ記録媒体載置部２０と、非接触データ記録媒体３０からのデータの読み出し及び非接触データ記録媒体３０へのデータの書き込みを行うリーダ／ライタ２６と、リーダ／ライタ２６を介して非接触データ記録媒体３０と通信を行い、操作部の出力に基づいて各種処理および、シャッター２２の開閉制御を行う制御部２８とを有している。
【００２０】
非接触データ記録媒体載置部２０は、非接触データ記録媒体載置部２０の凹部２１が装置本体１の上面２に形成されており、シャッター２２が装置本体１の上面２に沿って開閉可能に設けられている。したがって、本実施形態に係る現金取引装置によれば、非接触データ記録媒体３０を凹部２１の底面である非接触データ記録媒体３０の載置台に置くべき位置を確認し易いという、効果が得られる。
【００２１】
シャッター２２は、透明板により形成されている。したがって、本実施形態に係る現金取引装置では、シャッター２２が閉じられた状態でも非接触データ記録媒体載置部２０の凹部２１内における非接触データ記録媒体３０の有無を視認することができる。
２３は、載置位置指示部であり、現金取引時に非接触データ記録媒体３０を凹部２１内に収容する際に、非接触データ記録媒体３０が置かれるべき位置を指示するための部材である。
このように、本発明の実施形態に係る現金取引装置では、凹部２１には非接触データ記録媒体３０が載置されるべき位置を示す指示部が２３が設けられているので、現金取引装置のユーザは、非接触データ記録媒体を載置台上の載置されるべき位置に確実に置くことができる。
【００２２】
凹部２１の底面における非接触データ記録媒体３０が置かれるべき位置の反対側には、リーダ／ライタ２６が固設されている。
制御部２８は、シャッター２２を駆動する駆動装置（図示せず）を駆動してシャッター２２を開閉制御するとともに、非接触データ記録媒体３０とリーダ／ライタ２６を介して通信し、各種処理、例えば、入金処理等の処理を行う。制御部２８は、本発明の制御手段に相当する。
また、本発明の各実施形態では、非接触データ記録媒体３０は非接触ＩＣカードを例にとり、説明する。
【００２３】
上記構成からなる本発明の第１の実施形態に係る現金取引装置の動作の一例として、入金処理を図２のフローチャートを参照して説明する。まず、顧客が入金時に非接触ＩＣカード３０を非接触データ記録媒体載置部２０の凹部２１における載置位置指示部２３により定められた所定位置に置く（ステップ１００）。
次いで、リーダ／ライタ２６より非接触ＩＣカード３０に電源が供給され、非接触ＩＣカード３０がリーダ／ライタ２６を介して制御部２８と通信を開始し、非接触ＩＣカード３０と制御部２８との間で通信が確立したか否かが制御部２８により判定される（ステップ１０１）。ここで、「通信の確立」とは、制御部２８が非接触ＩＣカード３０との間における通信の立ち上げ処理を行うことにより、両者間で通信が確立し、通信が行えるようになることを意味する。
【００２４】
本発明の第１の実施形態に係る現金取引装置では、制御部２８は、非接触ＩＣカード３０が凹部２１の定められた位置に置かれているか否かを非接触ＩＣカード３０と現金取引装置側との通信が確立したか否かにより判定する。したがって、非接触ＩＣカード３０が凹部２１の定められた位置に置かれているか否かを非接触ＩＣカード３０と現金取引装置側との通信が確立したか否かにより確認することができるので、非接触ＩＣカード３０の位置検知を行うセンサが不要となる、という効果が得られる。
【００２５】
本発明の実施形態に係る現金取引装置では、制御部２８は、非接触ＩＣカード３０が正常な記録媒体であるか否かを非接触ＩＣカード３０と現金取引装置側との通信が確立したか否かにより判定する。したがって、凹部２１の定められた位置に置かれた非接触ＩＣカード３０が正常な記録媒体であるか否かを他の手段を用いることなく、認識することができる、という効果が得られる。
【００２６】
次いで、非接触ＩＣカード３０の残額表示が表示部１０により行われる。次いで、顧客が紙幣入金口１２より紙幣を投入すると（ステップ１０３）、投入金額が表示部１０により表示される（ステップ１０４）。
すなわち、図３において、表示エリア１０Ａには「カード残額」、「投入金額」、「操作指示のメッセージ（ご希望の金額ボタンを押してください）」が表示され、表示エリア１０Ｂには「金額選択釦」が表示される。表示部１０に表示されたメッセージに従い、顧客が入金金額選択ボタンを押下すると（ステップ１０５）、非接触データ記録媒体載置部２０のシャッター２２が制御部２８により閉じるように駆動制御される（ステップ１０６）。
【００２７】
次いで、制御部２８は、入金処理（ステップ１０７）、表示部１０への残額表示処理（ステップ１０８）を行った後、シャッター２２を開くように駆動制御する（ステップ１０９）。顧客は、シャッター２２が開いた非接触データ記録媒体載置部２０の凹部２１より非接触ＩＣカード３０を取り出す（ステップ１１０）。
【００２８】
本発明の第１実施形態に係る現金取引装置では、非接触ＩＣカード３０とリーダ／ライタ２６との間でアクセスが行われている間は、制御部２８によりシャッター２２は閉じるように制御される。したがって、外部から非接触データ記録媒体載置部２０の凹部２１内における非接触ＩＣカード３０に触れることができないため、非接触ＩＣカード３０は、凹部２１内における所定位置に保持されるので、非接触ＩＣカード３０からのデータの読み出し及び、非接触ＩＣカード３０へのデータの書き込みを確実に行うことができる。
【００２９】
以上、本発明の第１実施形態に係る現金取引装置によれば、非接触データ記録媒体（非接触ＩＣカード）を載置する載置台となっている凹部の所定位置に非接触データ記録媒体が置かれたか否かが、制御部と非接触データ記録媒体との間で通信が確立したか否かにより確認できるので、従来装置で必要であった非接触データ記録媒体の位置検知を行うセンサが不要となるという効果が得られる。
【００３０】
本発明の第２の実施形態に係る現金取引装置の要部の構成を図４に示す。本発明の実施形態に係る現金取引装置が第１実施形態に係る現金取引装置と構成上、異なるのは、非接触データ記録媒体載置部２０Ａは、凹部２１Ａが装置本体１の前面３に形成されており、シャッター２２Ａが装置本体１の前面３に沿って開閉可能に設けられている点であり、他の構成は第１実施形態にかかる現金取引装置と同一であるので、同一の要素には同一の符号を付し、重複する説明は省略する。
【００３１】
上記構成からなる本発明の第２実施形態に係る現金取引装置では、非接触データ記録媒体載置部２０Ａの凹部２１Ａが装置本体１の前面３に形成されており、シャッター２２Ａが装置本体１の前面３に沿って開閉可能に設けられている。したがって、非接触ＩＣカード３０を装置本体１の前面３から凹部２１Ａの後方に挿入することにより、凹部２１Ａの底面である非接触ＩＣカード３０の載置台に置くことができ、第１の実施形態に係る現金取引装置により得られる効果に加えて、操作感が良い、という効果が得られる。
【００３２】
本発明の第３の実施形態に係る現金取引装置の要部の構成を図５に示す。本発明の実施形態に係る現金取引装置が第１実施形態に係る現金取引装置と構成上、異なるのは、非接触データ記録媒体載置部２０Ｂは、凹部２１Ｂが装置本体１の前面隅部に形成されており、シャッター２２Ｂが装置本体１の前面隅部に沿って開閉可能に設けられている点であり、他の構成は第１実施形態にかかる現金取引装置と同一であるので、同一の要素には同一の符号を付し、重複する説明は省略する。
【００３３】
上記構成からなる本発明の第３実施形態に係る現金取引装置では、非接触データ記録媒体載置部２０Ｂの凹部２１Ｂが装置本体１の前面隅部に形成されており、シャッター２２Ｂが装置本体１の前面隅部に沿って開閉可能に設けられている。
したがって、装置本体の上面２と前面３の２面が開閉することになるので、凹部２１Ｂの底面である非接触ＩＣカード３０の載置台への収納、載置台からの非接触ＩＣカード３０の取り出しが容易であり、かつ非接触ＩＣカード３０が載置台に置かれている状態が確認し易い、という効果が得られる。
【００３４】
なお、本発明の各実施形態では、非接触データ記録媒体３０として非接触ＩＣカードを例にとり、説明したが、これに限らず、非接触ＩＣカードの機能を有する携帯電話機等であってもよい。
【図面の簡単な説明】
【００３５】
【図１】本発明の第１実施形態に係る現金取引装置の構成を示す斜視図、及び要部断面図。
【図２】図１に示した本発明の第１実施形態に係る現金取引装置の動作を示すフローチャート。
【図３】図１に示した本発明の第１実施形態に係る現金取引装置における表示部の表示例を示す説明図。
【図４】本発明の第２実施形態に係る現金取引装置の構成を示す斜視図、及び要部断面図。
【図５】本発明の第３実施形態に係る現金取引装置の構成を示す斜視図、及び要部断面図。
【符号の説明】
【００３６】
１…装置本体
２…上面
３…前面
１０…表示部及び操作部
１１…案内表示部
１２…紙幣入金口
１３…紙幣出金口
１４…硬貨入金口
１６…硬貨出金口
２０…非接触データ記録媒体載置部
２１…凹部
２２…シャッター
２３…指示部
２６…リーダ／ライタ
２８…制御部
【図１】
2007249259.tif 000003
【図２】
2007249259.tif 000004
【図３】
2007249259.tif 000005
【図４】
2007249259.tif 000006
【図５】
2007249259.tif 000007